(57)【特許請求の範囲】
【請求項１】
印刷に使用された使用済みの原紙を搬送手段を用いて搬送領域を経て排版収納領域へ送り込んで収納する装置であって、排版装置本体に対して着脱自在な排版箱と、前記搬送領域と前記排版収納領域との境界部に位置して前記原紙の飛び出しを防止する受け部を具備した可動部材とを有する排版装置において、
前記排版収納領域に設けられ前記可動部材よりも原紙の搬送方向下流側であって前記受け部に近づき又遠ざかる方向に可動の押圧部材と、この押圧部材を前記可動部材に近づく向きに付勢する付勢手段と、この付勢手段による前記押圧部材の移動を阻止することのできる阻止手段を具備していることを特徴とする排版装置。
【請求項２】
請求項１記載の排版装置において、
前記阻止手段が、前記付勢の力に抗して前記押圧部材が押動させられるときに、この押動させられた位置で当該押圧部材に掛かる鉤状の部材を具備していることを特徴とする排版装置。
【請求項３】
請求項１記載の排版装置において、
前記阻止手段が、直線状に配列された鋸歯状の歯列と、前記押圧部材に支持された爪軸と、この爪軸を支点として揺動可能なロック爪と、このロック爪を前記鋸歯状歯による凹凸部の凹部に食い込ませる向きに付勢する爪付勢手段を具備していることを特徴とする排版装置。
【請求項４】
請求項１乃至３の何れか１つに記載の排版装置において、
前記排版箱は、前記押圧部材、前記付勢手段、前記阻止手段を具備し、前記押圧部材が前記受け部から遠ざかる方向に前記着脱の抜脱方向が合わせてあることを特徴とする排版装置。
【請求項５】
請求項３記載の排版装置において、
前記排版箱の着脱方向における所定の領域で前記阻止手段による前記押圧部材の移動阻止を解除しておくことができる解除手段が設けられていることを特徴とする排版装置。
【請求項６】
請求項５記載の排版装置において、
前記解除手段は、前記排版箱側に設けられていて、前記ロック爪と共に揺動可能に設けられた解除レバーと、前記排版装置本体に設けられていて前記着脱方向に長さを有し少なくとも前記排版箱の前記排版装置本体からの抜脱方向側の端部が開放されていて、前記ロック爪が前記鋸歯状歯から外れた状態になるように前記解除レバーを傾けて保持する解除レバーガイドを有していることを特徴とする排版装置。
【請求項７】
請求項６記載の排版装置において、
前記解除レバーガイドは、前記受け部と前記押圧部材との間に最大収納容量の原紙が収納されるときの前記押圧部材の位置に対応する位置で前記解除レバーの案内を解除することを特徴とする排版装置。
【請求項８】
製版部で穿孔された版を印刷ドラムに巻着して印刷を行い、使用済みの原紙を排版装置に搬送して圧縮する工程を繰り返して蓄積していき、前記使用済みの原紙が一定量に達したら一括して廃棄できるようにしている孔版印刷装置において、
請求項１乃至７の何れか１つに記載の排版装置を具備していることを特徴とする孔版印刷装置。
【発明の詳細な説明】
【０００１】
【発明の属する技術分野】
この発明は、排版装置及び孔版印刷装置に関する。
【０００２】
【従来の技術】
図２１において、孔版印刷に使用されたマスタ或は版とも呼ばれる原紙（以下、廃棄原紙という。）を収納する手段として排版装置が知られている。この排版装置は、排版箱３１と、廃棄原紙を排版箱へ送る搬送手段と、廃棄原紙の飛び出しをおさえる可動部材３７を主な部材として有している。
【０００３】
排版箱３１は、廃棄原紙Ｍ、Ｍ１、Ｍ２を搬送する搬送領域３１と、収納スペースとしての排版収納領域３６をもつ。搬送手段は、廃棄原紙Ｍを印刷ドラム２から剥離しつつ搬送領域３６に向けて送る排版ローラ３２、搬送領域３６から排版収納領域３６に押し込む圧縮板３３などからなる。
【０００４】
可動部材３７は、前記搬送領域３５と排版収納領域３６との境界部に設けられていて排版箱３１内に収納された廃棄原紙Ｍの飛び出しを防止する受け部３７ａを具備していて前記搬送領域と排版収納領域３６を仕切る。
【０００５】
廃棄原紙Ｍ１、Ｍ２は図２１に示されるように圧縮板３３の回動により蛇腹状に折れた状態で搬送領域３５から排版収納領域３６に向け押し込まれる。かかる排版装置は、例えば特開２００１−７１６１９号公報において公知である。
【０００６】
このような排版装置では、十分な排版容量を確保するために排版収納領域３６ができる限り広く設計される傾向があり、排版箱３１内の廃棄原紙の収納量が少ないときには廃棄原紙Ｍ１、Ｍ２がそれ程圧縮されずに収納される。印刷が進行するに伴い、廃棄原紙が次々と生じ、図２２に示すように排版箱３１には、次第に多数の廃棄原紙Ｍ１〜Ｍ４が収納されるため強く圧縮されて収納されるようになる。
【０００７】
可動部材３７は圧縮板３３の揺動に応じて揺動させられて圧縮板３３の通過を許し、可動部材３７による押圧がない状態になるとストッパ６３に当接する位置まで付勢力により復帰して、受け部３７ａが搬送領域３５と排版収納領域３６の境界部に位置して、収納済みの廃棄原紙の飛び出しを防止する。
【０００８】
排版収納領域３６における廃棄原紙の収納量が少ない状態でしばらく排版動作を行わないと、収納直後には圧縮板３３で押圧移動させられる過程で蛇腹状に縮んだ排版箱３１内の廃棄原紙は蛇腹状に折りたたまれた部位が自身の弾性により次第に弛んで膨らみを増してしまう。
【０００９】
排版箱２１内で一度膨らんだ廃棄原紙は、クッション作用により圧縮板３３の回動動作だけではなかなか圧縮されず、排版箱２１内で比較的大きな容積を占めてしまい、その後の新たな廃棄原紙の収納スペースを奪うことから、排版収納量が減少してしまう。つまり、連続で排版動作を行った場合と間欠動作で排版動作を行った場合とで排版収納量に大きな差が生じてしまう。
【００１０】
また、排版箱３１内での廃棄原紙の収納量が少ないとき、つまり、十分に廃棄原紙の圧縮が行われていない状態で排版箱３６を排版装置本体から外したときに、圧縮板３３や、可動部材３７は排版装置本体側に残ることから、排版箱３６の可動部材３７側の部位は開口が開いた状態となっているものの、排版箱３１内に膨らんだ廃棄原紙が詰まった状態となり、廃棄原紙のごみ箱への除去作業がやりにくく、また膨らんできた廃棄原紙のために手を汚してしまう。
【００１１】
【発明が解決しようとする課題】
本発明は、間欠排版動作の場合でも連続排版動作時と同様の排版収納量を得ることができる排版装置、孔版印刷装置を提供することを目的とする。
【００１２】
【課題を解決するための手段】
本発明は、前記目的を達成するため、以下の構成とした。
（１）．印刷に使用された使用済みの原紙を搬送手段を用いて搬送領域を経て排版収納領域へ送り込んで収納する装置であって、排版装置本体に対して着脱自在な排版箱と、前記搬送領域と前記排版収納領域との境界部に位置して前記原紙の飛び出しを防止する受け部を具備した可動部材とを有する排版装置において、前記排版収納領域に設けられ前記可動部材よりも原紙の搬送方向下流側であって前記受け部に近づき又遠ざかる方向に可動の押圧部材と、この押圧部材を前記可動部材に近づく向きに付勢する付勢手段と、この付勢手段による前記押圧部材の移動を阻止することのできる阻止手段を設けた（請求項１）。
（２）．(１)記載の排版装置において、前記阻止手段が、前記付勢の力に抗して前記押圧部材が押動させられるときに、この押動させられた位置で当該押圧部材に掛かる鉤状の部材を具備している構成とした（請求項２）。
（３）．（１）記載の排版装置において、前記阻止手段が、直線状に配列された鋸歯状の歯列と、前記押圧部材に支持された爪軸と、この爪軸を支点として揺動可能なロック爪と、このロック爪を前記鋸歯状歯による凹凸部の凹部に食い込ませる向きに付勢する爪付勢手段を具備している構成とした（請求項３）。
（４）．（１）乃至（３）の何れか１つに記載の排版装置において、前記排版箱は、前記押圧部材、前記付勢手段、前記阻止手段を具備し、前記押圧部材が前記受け部から遠ざかる方向に前記着脱の抜脱方向を合わせた（請求項４）。
（５）．（３）記載の排版装置において、前記排版箱の着脱方向における所定の領域で前記阻止手段による前記押圧部材の移動阻止を解除しておくことができる解除手段を設けた（請求項５）。
（６）．（５）記載の排版装置において、前記解除手段は、前記排版箱側に設けられていて、前記ロック爪と共に揺動可能に設けられた解除レバーと、前記排版装置本体に設けられていて前記着脱方向に長さを有し少なくとも前記排版箱の前記排版装置本体からの抜脱方向側の端部が開放されていて、前記ロック爪が前記鋸歯状歯から外れた状態になるように前記解除レバーを傾けて保持する解除レバーガイドを有していることとした（請求項６）。
（７）．（６）記載の排版装置において、前記解除レバーガイドは、前記受け部と前記押圧部材との間に最大収納容量の原紙が収納されるときの前記押圧部材の位置に対応する位置で前記解除レバーの案内を解除することとした（請求項７）。
（８）．製版部で穿孔された版を印刷ドラムに巻着して印刷を行い、使用済みの原紙を排版装置に搬送して圧縮する工程を繰り返して蓄積していき、前記使用済みの原紙が一定量に達したら一括して廃棄できるようにしている孔版印刷装置において、前記（１）乃至前記（７）の何れか１つに記載の排版装置を具備することとした（請求項８）。
【００１３】
【発明の実施の形態】
［１］排版装置の概要
図１において、印刷が終了した印刷ドラム２上の廃棄原紙Ｍは、次の製版スタートキー押圧動作にて排版動作を開始する。廃棄原紙Ｍの先端部をくわえているマスタークランパ１１が一対の排版ローラ３２の部位で開き、当該排版ローラ３２が寸動回転して廃棄原紙Ｍの先端部をくわえ込む。マスタークランパ１１が閉じると、印刷ドラム２は矢印の向きに回転を始め、同時に排版ローラ３２が回転を始め、廃棄原紙Ｍを排版箱４０の一部である搬送領域４１及びその奥の排版収納領域４２に向けて送る。
【００１４】
排版ローラ３２により送り出される廃棄原紙Ｍは、搬送の過程で先端側の部分は蛇腹状に折られて排版収納領域４２に達し、後端側の部分は排版ローラ３２から外れて搬送領域４１に残る。
【００１５】
図２に拡大して示すように、廃棄原紙Ｍが最終的に収納される排版収納領域４２は排版箱４１の主要部を占める箱状をした部分に構成されており、搬送領域４１はこの排版箱４１の排版ローラ側の側部に形成された開口部の下側から延出した湾曲状の案内部材４３に構成されている。この搬送領域４１に残っている廃棄原紙Ｍの部分は、圧縮板５０により排版収納領域４２まで完全に送り出される。
【００１６】
搬送領域４１と排版収納領域４２との境界部を符号４４で示すと、この境界部４４に受け部４５ａが鉛直に位置し得るようにして可動部材４５が設けられている。
【００１７】
可動部材４５は図３にも示すように、排版装置４６の本体部４６ａに枢着された軸４７に固定されていて、図示省略の付勢手段により矢印４８で示す向きに回動付勢されている。この付勢力による可動部材４５の回動は軸状のストッパ４９に当接することにより阻止されている。このストッパ阻止位置で受け部４５ａが鉛直になり、これが可動部材４５の原位置である。
【００１８】
このストッパ４９により回動を阻止された状態のもとで、可動部材４５の上部は部材４３に形成された開口４３ａを貫通して搬送領域４１内に位置し、受け部４５ａは境界部４４における排版箱４０の開口部内に位置しており、排版収納領域４２に収納された廃棄原紙の飛び出しを防止する。
【００１９】
図２において、境界部４４上であって排版箱４０の上部に相当する位置に圧縮板５０の支点軸５０ａが位置している。圧縮板５０は支点軸５０ａを支点として、その自由端部が部材４３の湾曲部に沿って回動自在であり、廃棄原紙Ｍの後端部が排版ローラ３２を外れて搬送領域４１に落下するまでは図２に実線で示す原位置に待機している。
【００２０】
排版ローラ３２による廃棄原紙Ｍの送り出しが終わるタイミングで、圧縮板５０は原位置から回動して可動部材４５をその原位置から押し下げて、境界部４４を越えて排版収納領域４２の内側まで達することができるようになっている。
【００２１】
圧縮板５０の自由端側は、可動部材４５を押し動かして境界部４４の内側（排版収納領域４２側）まで移動して待機し、後述する図２０における製版部１０における製版及びカット動作が終了すると搬送領域４１の上方の原位置まで回動して停止し、一連の排版動作が完了する。
【００２２】
圧縮板５０は図５に示す回転駆動手段６６により駆動される。回転駆動手段６６は、モータ６７の回転軸に設けたウォーム６６Ｇ１と、これに噛み合うウォームホイール６６Ｇ２と、ウォームホイール６６Ｇ２から回転を伝達される中間ギヤ６６Ｇｎを経て回転される従動ギヤ６６Ｇ３からなる。回転駆動手段６６は排版装置４６の本体部４６ａ（図１参照）に設けられている。モータ６７の正転、逆転に応じて圧縮板５０の往動と復動が行われる。
【００２３】
圧縮板５０は復動、つまり、戻りの過程で可動部材４５と干渉するが、それでも回動の動作を可能にさせるため、圧縮板５０には図４に示すように、逆止弁的な作用をするロック機構６５が設けられている。このロック機構６５を説明すると、圧縮板５０には、可動部材４５の通過を可能にする大きさ及び形状の切り欠き３３ｂが形成されている。
【００２４】
しかし、この切り欠き３３ｂが形成されただけの状態では、圧縮板５０が図２に実線で示す原位置から２点鎖線で示す回動位置まで回動する過程で、可動部材４５に対して全くの非干渉となり、可動部材４５が常に搬送領域４１上に位置して廃棄原紙Ｍを排版収納領域へ送るのに支障を生じてしまう。
【００２５】
圧縮板５０が原位置にある図２の実線で示す位置において、該圧縮板５０の下面に相当する面を押動面、上面に相当する面を復動面と称することにする。
図４において、ロック機構６５は、切り欠き３３ｂの開放側の端部を押動面側で架橋状に差し渡し状に設けられたロック回転板３９と、切り欠き３３ｂの幅方向の一方側で切り欠き３３ｂの長手方向と平行に軸線を合わせて枢着されていてロック回転板３９と一体若しくは一体的に構成された回転軸３９ｂと、ロック回転板３９の自由端部が切り欠き３３ｂの幅方向の他方側に形成した段状の引っ掛かり部３３ｄに押圧されるように回転軸３９ｂに矢印ａの向きの付勢力を作用させるねじりコイルばね３９ｃを主な構成部材としている。ここで、引っ掛かり部３３ｄは図４に示すようにロック回転板３９が嵌入することができる大きさの段状の形状をしている。
【００２６】
このような構成により、圧縮部材５０が図２に実線で示す原位置から図２に２点鎖線で示す押し込み位置まで往動する向きに回動する過程では、図４に示すように圧縮板３９の表面３９ａの端部が引っ掛かり部３９ｄに嵌入当接した状態で実質的に切り欠き３３ｂが塞がれた状態となっている。
【００２７】
このため、圧縮板５０が図２に実線で示す原位置より時計回りの向きに往動するとき、ロック回転板３９の側部３９ｄは、可動部材４５の上面に相当する干渉部３７ｂに接触して押し下げる。これにより圧縮板５０は可動部材４５を乗り越え、さらに境界部４４を越えて排版収納領域４２に移動できる。
【００２８】
上記において圧縮板５０が可動部材４５を越えた時点で、可動部材４５は圧縮板５０から解放されるので、ストッパ４９に当接している原位置まで回動復帰し、図２に示すように受け部４５ａが境界部４４に位置するようになる。
【００２９】
図２において、圧縮板５０が２点鎖線で示す押し込み位置から反時計回りの向きに復動方向に回動するとき、裏面部３９ａ'側が可動部材４５に対向しているので、圧縮板５０が復動するにつれてロック回転板３９は矢印ａと反対の向き、つまりねじりコイルばね３９ｃの弾性に抗した向きの力を受けて回動し、切り欠き３３ｂを開き状態にして可動部材４５の通過を許す。このように、ロック機構６５は、圧縮板５０が往動時にのみ可動部材４５を押動し、復動時には圧縮板５０が可動部材４５を通過できるように変位する。
【００３０】
図５において、従動ギヤ６６Ｇ３が設けられた側の反対側の支点軸５０ａにはフィラー６８の基端部が固定されている。フィラー６８は圧縮板５０と共に回転する。圧縮板５０が図２に実線で示す原位置にあるときにフィラー６８の自由端部をセンサ６９Ｓ１を、図２に２点鎖線で示す押し込み位置にあるときにフィラー６８の自由端部をセンサ６９Ｓ２がそれぞれ検知するように、各センサ６９Ｓ１、６９Ｓ２が設けられている。
【００３１】
フィラー６８がセンサ６９Ｓ１からセンサ６９Ｓ２まで移動する時間、つまり、圧縮板５０が原位置から押し込み位置まで移動する時間をこれらセンサ６９Ｓ１、６９Ｓ２の出力から得ることができる。排版箱４２内に廃棄原紙が多量に押し込まれるほど、圧縮板５０の往動時の抵抗が増すので、フィラー６８がセンサ６９Ｓ１から離れてセンサ６９Ｓ２に達するまでの所要時間が排版箱満杯時における時間を所定の時間として把握していれば、上記時間を制御手段などで計測することで、排版箱４０が満杯になっているかどうかを把握することができる。
【００３２】
排版箱４０は排版装置の本体部４６ａに対して着脱可能である。図５、図６その他の図において、排版ローラ３２の軸方向に直交する符号７０ａが本体部４６ａに対する装着方向、符号７０ｂが抜脱方向である。両者を併せて着脱方向７０とする。本体部４６ａへの装着時には本体部に設けた段部４６ａ１に案内部材４３下部の段部４３ｂが当接して位置決めされ、その上で、本体部４６ａに枢着された係止レバー４６ａ２を揺動させて排版箱４０に掛けることで排版箱４０が本体部４６ａに対して抜け止めされた状態で位置決め固定される。
【００３３】
これら段部４３ａ、４６ａ１や、係止レバー４６ａ２等は係止手段の一例であり、排版箱４０を固定及び固定解除できる手段であれば、上記例に限定されない。排版箱４０が満杯になったら、係止レバー４６ａ２を解除して把手４０ａを掴み、排版箱４０を本体部４６ａから抜脱し、内部の廃棄原紙をごみ箱に捨ててから、本体部４６ａに装着し、係止レバー４６ａ２で固定する。
【００３４】
［２］請求項１、２、４に対応する例
図１、図６、図７その他の図に示すように、排版収納領域４２に押圧部材７１を設けた。押圧部材７１は可動部材４５よりも原紙の搬送方向、つまり、搬送領域４１から排版収納領域４２に向かう方向での下流側であって受け部４５ａに近づき又遠ざかる方向、この方向は着脱方向７０と同じであるが、この方向に可動である。
【００３５】
排版箱４０の内側で着脱方向７０と直交する方向で対向する側板にそれぞれ、Ｕ字状をしている細長い溝７３を、その長手方向を着脱方向７０に合わせて形成した。この７３溝には、押圧部材７１と一体の軸７１ａを摺動可能に貫通させている。押圧部材７１は、軸７１ａが溝７３に沿って案内されることにより着脱方向に可動である。
【００３６】
押圧部材７１を付勢する付勢手段として、伸張性の２つのばね７２が間隔をおいて設けられている。これらばね７２の一端部は排版箱４０における原紙の搬送方向下流側の壁面に固定され、他端部が押圧部材７１に固定されている。ばね７２が伸びきった状態で押圧部材７１は受け部４５ａから離間している。この離間の距離は、可動部材４５が回動するとき干渉しない最小の距離にしてある。
【００３７】
溝７３が設けられた側板の外側部には、軸７１ａに係合することのできる２つの鉤状の部材７４ａ、７４ｂを有するレバー７４が排版箱４０に植設された軸７５を支点に自重で揺動可能に設けられている。
【００３８】
軸７５は抜脱方向７０ｂでの溝７３の端部の上部に位置し、ここを支点にしてレバー７４の自由端側は装着方向７０ａでの溝７３の端部まで及んでいる。レバー７４は常に自重で軸７１ａに当接している。
【００３９】
鉤状の部材７４ａ、７４ｂはレバー７４の下部に並べて設けられている。これらの鉤状の部材７４ａ、７４ｂは抜脱方向に傾斜している。図１に示したように、排版収納領域４２が空のときには、軸７１ａが図７（ａ）に示すように装着方向７０ａでの溝７３端部寄りの位置にあり、廃棄原紙が押し込まれてくるにつれて、押圧部材７１と共に軸７１ａが抜脱方向７０ｂに移動する。この移動により、軸７１ａが鉤状の部材７４ｂの傾斜面を越える。このとき、センサ６９Ｓ１、６９Ｓ２により排版箱満杯が検知されることにより排版箱４０が外されても、鉤状の部材７４ｂが軸７１ａを保持しているので、押圧部材７１の装着方向７０ａへの戻り動作はなく、排版領域４２に収納されている廃棄原紙の飛び出しはない。
【００４０】
軸７１ａが鉤状の部材７４ｂの傾斜面を越えてもなお、センサ６９Ｓ１、６９Ｓ２による排版箱満杯が検知されないときには、さらに廃棄原紙が排版収納領域４２に押し込まれてくる。これにより、軸７１ａが鉤状の部材７４ａを越えるようになる。
【００４１】
排版満杯が検知されるときの軸７１ａの位置に合わせて鉤状の部材７４ａ、７４ｂを設けているので、排版箱満杯検知に多少のずれがあっても鉤状の部材７４ａ、７４ｂの何れかにより軸７１ａを保持すことができる。
【００４２】
排版収納領域４２に廃棄原紙が少ないときの排版収納動作を図８〜図１０により説明する。係止レバー４６ａ２により排版箱４０を抜脱方向７０ｂでの移動が阻止されているものとする。
【００４３】
図８においては、既に廃棄原紙Ｍ１が排版収納領域に押し込まれていて、小さい力ではあるがばね７２の力で押圧部材７１と受け部４５ａとで挟圧されている。次の廃棄原紙Ｍ２は搬送領域４１にあり、圧縮板５０は原位置にある。このとき、軸７１ａは図７（ａ）に示すように鉤状の部材７４ａ、７４ｂ等から離間した位置にある。
【００４４】
次いで、図９に示すように、圧縮板５０が回動することにより、可動部材４５が回動させられて廃棄原紙Ｍ２が新たに排版収納領域４２に押し込まれるようになり、図１０に示すように、さらに圧縮板５０が回動することにより可動部材４５を乗り越え、廃棄原紙Ｍ１、Ｍ２が押圧部材７１と受け部４５ａとで挟圧される。このような押し込みを可能にするたに、圧縮板５０の回動トルクはばね７２の弾性より強いことが必要である。
【００４５】
排版収納領域４２への新たな廃棄原紙Ｍ２の押し込みによりばね７２は撓むため、フックの法則により廃棄原紙Ｍ１だけのときよりも少し大きい力で廃棄原紙Ｍ１、Ｍ２が押圧部材７１と受け部４５ａとで挟圧されるようになる。また、これに伴い、支点軸７１ａが抜脱方向７０ｂに移動する。
【００４６】
こうして、廃棄原紙の収納がさらに進んで排版収納領域４２に多くの廃棄原紙が収納されるときの排版収納動作を図１１〜図１３により説明する。図１１においては、既に廃棄原紙Ｍ１〜Ｍ６が排版収納領域４２に押し込まれていて、ばね７２は図１０で示した状態に比べてさらに大きい力で押圧部材７１と受け部４５ａとで挟圧されている。次の廃棄原紙Ｍ７は搬送領域４１にあり、圧縮板５０は原位置にある。なお、廃棄原紙Ｍ１〜Ｍ６は説明の便宜上の表示であり、必ずしも６枚の廃棄原紙を意味するものではない。
【００４７】
次いで、図１２に示すように、圧縮板５０が回動することにより、可動部材４５が回動させられて廃棄原紙Ｍ７が新たに排版収納領域４２に押し込まれるようになり、図１３に示すように、さらに圧縮板５０が回動することにより可動部材４５を乗り越え、廃棄原紙Ｍ１〜Ｍ７が押圧部材７１と受け部４５ａとで挟圧される。
【００４８】
例えば、このときの圧縮板５０の回動に要する時間が、前記図１で説明したセンサ６９Ｓ１、６９Ｓ２による排版箱満杯時における所定の時間であれば、このときまでに、図７に示すように軸７１ａが鉤状の部材７４ａ、７４ｂを乗り越えた位置となるように、鉤状の部材７４ａ、７４ｂの位置を定めておくことにより、排版箱４０を排版装置４６から外すことにより可動部材４５による押えが解除されても押圧部材７１が装着方向に戻ることは防止される。鉤状の部材７４ａ、７４ｂを２つにしたのは、廃棄原紙の厚みが一定でないことから係止の確実性を確保するためである。より確実性を増すためには２つ以上とする。
【００４９】
本例において、鉤状の部材７４ａ、７４ｂが形成されたレバー７４はばね７２による押圧部材７１移動を阻止することのできる阻止手段の一例であり、ばね７２付勢の力に抗して圧縮板５０の回動により廃棄原紙を介して押圧部材７１が押動させられるときに、この押動させられた位置で当該押圧部材７１と一体の軸７１ａに掛かり、押圧部材７１の戻りを防止する。
【００５０】
本例では、押圧部材７１をばね７２で付勢するようにしたので、排版収納領域での廃棄原紙の多少に関わらず、常に廃棄原紙を圧縮した状態となるので、間欠的に排版動作を行った場合でも、連続して排版動作を行った場合でも、廃棄原紙の収納量、つまり、排版収納量に差がなく、常に廃棄原紙の圧縮状態が保持され、安定した収納量を得ることができる。
【００５１】
また、押圧部材７１の移動を阻止する阻止手段を、鉤状の部材７４ａ、７４ｂを具備したレバー７４による簡単な構成とし、押圧部材と一体の軸７１ａを係止および係止解除でき、排版箱４０を排版装置４６から外しても、排版収納状態での押圧部材７１のばね７２による戻りが防止することができる。このように、簡単な構成により廃棄原紙（排版）の圧縮状態を確保して廃棄することができる。レバー７４に形成した鉤状の部材７４ａ、７４ｂの軸７１ａに対する解除は手動により行う。
【００５２】
［３］請求項１、３〜７に対応する例
図１４は排版箱４０'を示し、押圧部材７１の移動を阻止する阻止手段の別の例を説明するためのものであり、前記した図６における排版箱４０と多くの共通部材を含み、これらの共通部材については、同じ符号を付して説明は省略する。
【００５３】
排版箱４０の、着脱方向７０と直交する方向で対向する各内壁部にはそれぞれ、Ｕ字状をしている細長いガイド７６が、その長手方向を着脱方向７０に合わせて排版箱４０と一体成形されて設けられていて、その溝部７６ａには、押圧部材７１に基端部が枢着された爪軸７１ａ'が貫通している。
【００５４】
図１４において、この爪軸７１ａ'が溝部７６ａを貫通している部分を符号Ｂで示し、この部分を拡大して図１５に示す。
【００５５】
図１５において、溝部７６ａの下部には着脱方向７０に沿って直線状に配列された鋸歯状の歯列７７からなる。この歯列７７はいくつかの歯７７が連続したもので、１つの歯７７に着目すると、図の上下方向に相当する鉛直方向と爪軸７１ａ'の中心軸線の方向とを共通に含む平面である鉛直面部７７ａと、この鉛直面部７７ａに接していてこの鉛直面部７７ａに対して鋭角をなして抜脱方向７０ｂに傾いている傾斜面部７７ｂとからなる。このような歯７７が連続することにより、凹凸が連続的に形成されている。
【００５６】
爪軸７１ａ'の、溝部７６ａに相当する位置には、ロック爪７８が固定されている。押圧部材７１の側部にはねじりコイルばね７９の一端側が係止され、該ねじりコイルばね７９の他端側はロック爪７８の自由端側に掛けられている。これにより、ロック爪７８は爪軸７１ａ'と共に、図１５において時計回りの向きに付勢されている。ロック爪７８はねじりコイルばね７９によりその自由端部が歯７７が連続することにより形成される鋸歯状歯による凹凸部の凹部に食い込ませる向きに付勢され歯７７に当接することに回動を阻止されている。
【００５７】
かかる構成では、押圧部材７１は抜脱方向７０ｂへの移動はねじりコイルばね７９の弾性に抗してロック爪７８の自由端部が斜面部７７ｂに乗り越えて進むことができるので可能であるが、押圧部材７１の装着方向７０ａへの移動、つまり、排版収納状態での押圧部材７１のばね７２による戻りは図１５に実線で示すようにロック爪７８の自由端部が歯列を構成する歯間の凹部に食い込むことにより阻止される。特に、歯列の領域を大きくとれば、廃棄原紙のサイズや種類に応じて排版箱満杯時の押圧部材７１の位置がずれても、押圧部材７１のばね７２による戻し動作をロックすることができる。
【００５８】
このように、直線状に配列された歯７７による鋸歯状の歯列と、押圧部材７１に枢着された爪軸７１ａ’と、この爪軸７１ａ’を支点として揺動可能なロック爪７８と、このロック爪７８を鋸歯状歯による凹凸部の凹部に食い込ませる向きに付勢する爪付勢手段としてのねじりコイルばね７９による構成は押圧部材７１の、ばね７２による装着方向７０ａの移動を阻止する阻止手段の一例を構成している。
【００５９】
本例の阻止手段では、鋸歯状歯の歯列の範囲を大きくとることで、広い範囲で押圧部材の戻り動作を阻止することができる。
【００６０】
このような鋸歯状の歯列を前記図１３で説明した排版箱満杯相当時における爪軸７１ａ’の位置を含みかつ装着方向７０ａ、抜脱方向７０ｂの適宜の範囲に形成しておけば、排版箱４０を排版装置４６から外しても、排版収納状態での押圧部材７１のばね７２による戻りが防止される。
【００６１】
図１５において、溝部７６ａを貫通させて爪軸７１ａ'を延長させて、その軸端部に解除レバー８０を設ける。この解除レバー８０を手動操作により反時計回りの向きに回動させてロック爪７８の自由端部が歯列を構成する歯間の凹部に食い込に状態になっているのを解除することができる。解除レバー８０は、阻止手段による機能を解除する解除手段の一例を構成する。
【００６２】
解除手段の他の例を説明する。図１６に示すように本体部４６ａの側板内側には、着脱方向７０に平行な２本のガイド部材８１、８２が設けられている。ガイド部材８１、８２は上下方向に間をおくことで溝８４を形成するように配置されている。
【００６３】
この溝８４には、図１５に２点鎖線で示すように解除レバ―８０が傾けられた状態でのみ嵌入できる。このように解除レバ―８０が傾けられた状態にあるとき、ロック爪７８は図１５に２点鎖線で示すように鋸歯状歯による凹凸部の凹部から外れた状態となっている。
【００６４】
解除レバ―８０を溝８４に嵌入することで、ロック爪７８による押圧部材７１の移動阻止機能は解除される。ガイド部材８１、８２は解除レバー８０を、ロック爪７８による押圧部材７１の移動阻止機能を解除した状態に保持する機能を有する。また、解除レバー８０をガイドする機能を有するので解除レバーガイド８３と称する。
【００６５】
かかる解除レバーガイド８３は、排版装置４６の本体部４６ａの両側板の内側に設けられ、排版箱４０を本体部４６に対して着脱するときのガイドの機能も果たす。
【００６６】
解除レバ―ガイド８３は、図１４の受け部４５ａと押圧部材７１との間に最大収納容量の廃棄原紙が収納されるときの押圧部材７１の位置に対応する位置で解除レバー８０の案内を解除するようにしてある。図１６に示すように、ガイド部材８１、８２は抜脱方向７０ｂ方向で最大収納容量の廃棄原紙が収納されるときの押圧部材７１の位置に対応する位置で端部が切れていて、解除レバー８０の挿入が容易なように対向部がＲ状に面取りされてハの字状に開いている。
【００６７】
かかる構成により、図１３に示した排版箱満杯相当時においては、解除レバー８０は溝８４から外れているが、排版箱４０を抜脱方向へ引出すとロック爪７８が歯列の凹凸部に食い込み、受け部４５ｂの押えがなくなっても押圧部材７１の抜脱方向７０ｂへの戻りはロック状態となる。
【００６８】
以下、図１７〜図１９により動作を説明する。
排版収納領域４２が空若しくは廃棄原紙がまだ少量しか収納されていない状態のもとでは、図１７（ａ）、（ｂ）に示すように解除レバー８０が溝８４内に位置して上のガイド部材８１に当接することにより、ねじりコイルばね７９による回動が阻止された状態にあり、ロック爪７８は歯列の凹凸部から外れた状態にある。
【００６９】
排版収納領域４２に多量の廃棄原紙が収納され、排版箱が満杯になる近傍では、図１８（ａ）、（ｂ）に示すように解除レバー８０が上のガイド部材８１のＲ状に面取りされた部位付近に位置しているため、この位置から排版箱４０を僅かに引き抜いた状態でも解除レバー８０が解除レバーガイド８３から外れるため、図１９（ｂ）に示すように直ちに、ロック爪７８が歯列の凹部に食い込み、押圧部材７１のロックがなされる。
【００７０】
図１９（ｂ）に示す押圧部材７１のロック状態は、図１９（ａ）に示すように排版箱４０を本体部４６ａからさらに抜脱方向７０ｂに引き出した状態でも保持される。
【００７１】
こうして、排版箱４０を本体部４６ａから完全に引き抜いたのち、収納されている廃棄原紙をごみ箱に廃棄し、再び本体部４６ａに装着する。この装着に際し、排版箱４０を本体部４６ａにセットする前は、ロック爪７８が歯列の凹部に食い込み、押圧部材７１のロックがなされたままの状態である。
【００７２】
図１９（ａ）に示すように解除レバー８０が解除レバーガイド８３からまだ離間した状態から、装着方向７０ａに向けて排版箱４０を近づけていくと、図１８（ａ）、（ｂ）に示すように解除レバー８０がガイド部材８１のＲ状に面取りされた部位に接触する。次いで、解除レバー８０が爪軸７１ａ'を中心に回動させられて、ロック爪７８が歯列の凹部に食い込んだ状態が完全に解除される。
【００７３】
この状態になると、解除レバー８０が解除レバーガイド８３により案内されてスライドするようになり、図１７（ａ）に示した排版箱４０の本体部４６ａに対する装着位置に達する。この状態では、図１７（ｂ）に示すようにロック爪７８は歯列の凹部への食い込みを解除されている。
【００７４】
この解除状態は、排版箱が満杯になり、排版箱４０を本体部４６ａから抜脱するときまで継続するが、満杯状態から僅かでも引出すときにロック爪７８は歯列の凹部への食い込み、押圧部材７１の戻りをロックするので問題はない。
【００７５】
ガイド部材８１により解除レバー８０を揺動させた状態で保持しておく領域が決まり、ガイド部材８１の端部位置を定めることにより阻止手段の働きを解除できる領域が定まる。
【００７６】
解除レバー８０は排版箱側に設けられていて、解除レバーガイド８３により動作されるので、解除レバーガイドを適宜に構成することにより、排版箱の着脱操作に合わせて阻止手段を機能状態、非機能状態に切りかえることができる。
【００７７】
解除レバーガイドを適宜に構成することにより、排版箱を排版装置本体から外すときに阻止手段の働きを解除することが可能である。
【００７８】
［４］請求項８に対応する例
孔版印刷装置の全体構成を模式的に示した図１において、該孔版印刷装置は、主として原稿読取部１、印刷ドラム２、印刷ローラ４、給紙部５、製版部１０、排版装置４６、排紙部８５、排紙トレイ５２などから構成されている。動作の概略は以下のとおりである。
【００７９】
先ず、印刷ドラム２に装着された廃棄原紙が排版装置４６へ排出される。次に、自動原稿送り装置部１００で原稿Ｐが一枚だけ分離され、原稿読取部１でデジタル画像データとして読み取られる。この画像データに基づいて製版部１０では原紙６０を穿孔する。穿孔された原紙６０は印刷ドラム２に供給され、巻き付けられる。
【００８０】
この状態で給紙部５から一枚だけ分離された印刷用紙Ｓは印刷ドラム２と同期をとりながら印刷ドラム２の下部に供給され、印刷ローラー４で印刷ドラム２に押し付けられ、インキが転移される。インキが転移された印刷用紙Ｓは排紙爪４０と図示しないエアナイフから吹き出される空気によって印刷ドラム２から剥離され、次いで、排紙部８５を経て排紙トレイ５２上に排紙される。
【００８１】
このような印刷用紙Ｓに対する印刷が指定された枚数分印刷されると、印刷は終了し、次の印刷に入る。つまり、前記したように印刷ドラム２に装着された使用済みの原紙、つまり、廃棄原紙が排版装置４６へ排出される。
【００８２】
印刷ドラム２のまわりであって、所定の排版位置に対ローラからなる搬送手段３２が設けられている。印刷ドラム２上、廃棄原紙の一端側をくわえている爪２Ｂが、搬送手段３２近傍の所定の位置に達すると爪２Ｂが廃棄原紙を解放する。
【００８３】
搬送手段３２は廃棄原紙の先端部をくわえやすい位置まで適宜移動し、廃棄原紙の先端をくわえる。廃棄原紙をくわえた搬送手段３２は回転して廃棄原紙を印刷ドラム２から剥がす向きに回転し、これと同期して印刷ドラム２も廃棄原紙を剥がす向きに回転し廃棄原紙を収納容器３１へ向けて送り出す。
【００８４】
【発明の効果】
請求項１記載の発明では、間欠排版動作の場合でも連続排版動作時と同様の排版収納量を得ることができる。
【００８５】
請求項２記載の発明では、簡単な構成により押圧部材による排版の圧縮状態を確保できる。
【００８６】
請求項３記載の発明では、歯列の範囲を大きくとることで広い範囲で押圧部材の戻り動作を阻止することができる。
【００８７】
請求項４記載の発明では、押圧部材による排版の圧縮状態を確保したままで、排版箱を排版装置本体から外すことができる。
【００８８】
請求項５記載の発明では、阻止手段の働きを解除できる領域を任意に定めることができる。
【００８９】
請求項６記載の発明では、排版箱の着脱操作に合わせて阻止手段を機能状態、非機能状態に切りかえることができる。
【００９０】
請求項７記載の発明では、排版箱が満杯になり、排版箱を排版装置本体から外すときに阻止手段の働きを解除することができる。
【００９１】
請求項８記載の発明では、排版装置を備えた孔版印刷装置について、排版の処理を容易に行うことができる。
【図面の簡単な説明】
【図１】孔版印刷装置の概略構成を説明した正面図である。
【図２】排版箱の部分断面図である。
【図３】排版箱の一部を説明した分解斜視図である。
【図４】圧縮板の一部に構成されたロック回転板を説明した部分斜視図である。
【図５】排版装置の要部構造を説明した斜視図である。
【図６】排版箱及びその周辺部の構造を説明した斜視図である。
【図７】図７（ａ）は排版箱への廃棄原紙収納量が少ないときのレバー７４の状態を説明した排版箱の正面図、図７（ｂ）は排版箱への廃棄原紙収納量が多くなり鉤状部が軸に掛かった状態を説明した正面図である。
【図８】排版箱への廃棄原稿の収納動作を説明した正面図である。
【図９】排版箱への廃棄原稿の収納動作を説明した正面図である。
【図１０】排版箱への廃棄原稿の収納動作を説明した正面図である。
【図１１】排版箱への廃棄原稿の収納動作を説明した正面図である。
【図１２】排版箱への廃棄原稿の収納動作を説明した正面図である。
【図１３】排版箱への廃棄原稿の収納動作を説明した正面図である。
【図１４】排版箱及びその周辺部の構造を説明した斜視図である。
【図１５】ガイドに設けた鋸歯状歯の凹凸とロック部材との噛み合い関係を説明した斜視図である。
【図１６】解除レバーガイドに対する解除レバーの係合状態を説明した斜視図である。
【図１７】図１７（ａ）は廃棄原稿の収納量が少ないときの解除レバー及びロック爪の位置関係を説明した排版箱の部分正面図、図１７（ｂ）は図１７（ａ）の状態下での溝部内における解除レバー及びロック爪の位置関係を説明した正面図である。
【図１８】図１８（ａ）は廃棄原稿の収納量が多くなったときの解除レバー及びロック爪の位置関係を説明した排版箱の部分正面図、図１８（ｂ）は図１８（ａ）の状態下での溝部内における解除レバー及びロック爪の位置関係を説明した正面図である。
【図１９】図１９（ａ）は排版装置本体部から外れた状態の排版箱を説明した図、図１９（ｂ）は図１９（ａ）の状態下での溝部内における解除レバー及びロック爪の位置関係を説明した正面図である。
【図２０】孔版印刷装置の正面図である。
【図２１】排版箱内に廃棄原紙が少量しか収納されていない状態下での廃棄原紙の状態を説明した図である。
【図２２】排版箱内に廃棄原紙が多量収納されている状態下での廃棄原紙の状態を説明した図である。
【符号の説明】
３６  排版収納領域
４５ａ  受け部
７１  押圧部材
７２  ばね
【図１】
0003939963.tif 000002
【図２】
0003939963.tif 000003
【図３】
0003939963.tif 000004
【図４】
0003939963.tif 000005
【図５】
0003939963.tif 000006
【図６】
0003939963.tif 000007
【図７】
0003939963.tif 000008
【図８】
0003939963.tif 000009
【図９】
0003939963.tif 000010
【図１０】
0003939963.tif 000011
【図１１】
0003939963.tif 000012
【図１２】
0003939963.tif 000013
【図１３】
0003939963.tif 000014
【図１４】
0003939963.tif 000015
【図１５】
0003939963.tif 000016
【図１６】
0003939963.tif 000017
【図１７】
0003939963.tif 000018
【図１８】
0003939963.tif 000019
【図１９】
0003939963.tif 000020
【図２０】
0003939963.tif 000021
【図２１】
0003939963.tif 000022
【図２２】
0003939963.tif 000023